(57)【要約】      （修正有）【課題】本発明は、避難場所に新鮮な飲料水を常時保てる供給装置を設置して、大地震などで避難した住民に、即、新鮮な飲料水を供給する。【解決手段】避難場所に収容出来る住民の人数に見合う個数を用意した各水槽体７に一側面の上部に逆止弁４を取付けた注入管５を固着するとともに、反対側面下部に逆止弁４ａを取付けた配水管６を固着して、その対角する線状にある注入管５と排水管６をホース８で連結してその上部を安定板１１で覆設し構成して、該各水槽体７で避難場所の周囲に一連の堤体状に連接して、常用してある水道管に継管し通水して設置する。【選択図】図１
2008002253.tif 000002
【特許請求の範囲】
【請求項１】
本発明は、枠柱体（１）の支持枠（２）内に水槽（３）を載置して、該水槽（３）の一側面上位部に、逆止弁（４）を取付けた注入管（５）を固着するとともに、反対側面の下位部に逆止弁（４ａ）を取付けた排水管（６）を固着して水槽体（７）を構成して、これをその避難所に収容出来る人数に見合う個数量を用意して一定間隔に設置して、各水槽体（７）が各々対向する線上にある注入管（５）と排水管（６）をホース（８）で各々連結するとともに、その上位部に安全板（１１）を、各支持枠（２）、（２ａ）に取付けた各支持片（１２）を介して両水槽体（７）間に密接して各々遊着させて覆設して、一連の水槽の提体状を設けてなることを特徴とする防災、避難場所における給水装置。
【請求項２】
注入管（５）に嵌合されてあるホース（９）の一端部及、対向する上下支持枠（２）、（２ａ）に取付けられてある支持片（１２）に遊着されてある覆板（１３）が、ともに各水槽体（７）が地震などの揺れによって移動した際に各注入管（５）及支持片（１２）より容易に外れることが出来る様にした特許請求の範囲第一項記の防災、避難場所における給水装置。
【発明の詳細な説明】
【発明の詳細な説明】
【産業上の利用分野】
【０００１】  本発明は、大地震などで避難場所に大勢の住民が避難した際に、その避難した住民全員に直ちに新鮮な飲用水を充分に与える事が出来得る様にした飲用水の供給装置である。
【背景技術】
【０００２】  総じて、避難場所の住民にとって、先ず必要とされる生活物資の数量を、予め特定の各倉庫に蓄積、保管しておいて、非常の際にその必要とする物品を迅速に搬送して、供給することが一般的である。
【発明が解決しようとする課題】
【０００３】  そこで先ず水を、地震によって例えば道路が塞がれて、配水車の運行が出来ない際でも、又到着する配水車ではその水量に限りがあるので、これらに代って充分に賄うに足る水量の飲料水の確保及給水を目的とする。
【課題を解決する手段】
【０００４】  本発明は、避難場所の周囲や空間地などを大いに利用して、水槽を、その避難場所に収容し得る人員の数に応じる程度の個数を用意して、一連の水槽を堤体状に設置するとともに、常時利用してある水道管に連結して、災害が起きた際に直ちに新鮮な水の飲用が出来る様な手段を講じたものである。
【作用】
【０００５】  本発明は、上述の手段を講じたので、これを使用する際は、大地震などにより例えば断水して各水槽が移動されれば、安全板が外れると同時に連結してあるホースの上端部が注入管より外れるとともに逆水弁が働いて、水槽内の水は漏水することなく満水の状態であるので、全水槽より直ちに飲用することが出来るのである。
【実施例】
【０００６】  以下図面に示す実施例についてさらに詳細に説明する。【０００７】  この発明は、先ず鋼材の枠柱体１の下部辺に、山形鋼材で角枠状に支持枠２を設けて、この支持枠２の内部に飲用水を満たす水槽３を載置して、該水槽３の一例面部の上位部を開口して、そこに逆止弁４を取付けた注入管５を固着するとともに、水槽の反対側面部の下位部を開口して、そこに逆止弁４ａを取付けた排水管６を固着して、水槽体７を構成する。【０００８】  この水槽体７は、１個体としても使用出来るが、避難用として、避難場所に、その場所に避難収容出来得る住民の人数に見合う個数量の水槽体７を設置して、各水槽体７の注入管５に、長さに余裕をもたせて有するホースの一端上部を、引張れば容易に抜けるが漏水はしない様に嵌着するとともに、ホース８の他端下部を各隣接する水槽体７の各対向する線上に臨む排水管６に固着して、更にこのホース８の上部辺を、注入管５の開口部より上位の位置に臨ませて、枠柱体１の上位部の両枠部に取付けた支持枠２ａに固着した支持具９を介して各排水管６側の上部に臨ませて遊着して、各水槽体７をこのホース８で連結して一連の提体状のものにして設置する。【０００９】  なお、水槽体７は、枠柱体１を用いずしてその代わりに、水槽３の底部に台座１０を設けて、一体の水槽体７ａとして例えば水害の防災用として用いてもよい。【００１０】  而して、上記の各ホース８で連結してある注入管５、排水管６及各逆止弁４、４ａなどの付属品を各々安全に保護するために、その上位部に安全板１１をそれぞれ施すが、先ず小経の棒材をＵ字状に折曲して支持片１２を設けて、これを各水槽体７の対向する各上位部の支持枠２ａの左右部に、各支持片１２切口を上下或は斜状にして向き合わせる様にするとともにその基部を各々溶着して、更に支持片１２を各水槽体７の下位部の対向する各支持枠２の排水管６の左右に各々臨ませて、各支持片１２の切口を横方にして向き合わせる様にするとともに各上位部の支持片１２の垂直下位置に臨ませて、その基部を各々溶着する。【００１１】  次に安全板１１は、鋼板を断面Ｕ状に折曲してその横巾寸法を、各水槽体７の所定位置の間隔寸法に合致させて形成して、この安全板１１を装着する際は、その一端部を既設されてある水槽体７側の各支持片１２に挿込んで、その他端部を次に設置する水槽体７でその各支持片１２に差込みながら該水槽体７を接近させ、安全板１１の両端部に密着させて、該水槽体７を所定位置にして両水槽体７で狭持して、次々と水槽体７を設置して、一連の水槽体７での提体状の設置を完了する。【００１２】  本発明は、この様にして水害、地震等の災害に備えるもので、各地区の避難する住民数に足る水量に相当する水槽体７を、一連の水槽で提体状の様にして、例えば避難場所の周囲や空間地を努めて大いに利用する様にして設置して、これを常用する水道管に継管してともに常に通水をなしておれば、例えば大地震が起きて断水となり、一時的に道路が寸断されて飲用が届かない事態になっても、その間地震によって水槽体７が移動して安全板１１が外れるとともにホース８の上端部が注入管５より外れればその注入管５は逆止弁４が働いて漏れることもなく満水であるので、全水槽３が���事で、各水槽３の飲用水を即刻飲用することが出来るのである。【００１３】  この際、注入管５と排水管６を連結するホース８は、図面では斜線状にしてあるがこれをホース８の上部を水槽３の横巾の巾長にするとともに、排水管６の取付部を基点とした三角形状にして遊着しておけば、水槽３が直立より前後に横転しても注入管５の水は漏れることがないのである、従ってホース８の取付けはこの三角形状にして連結することが望ましい。【００１４】  なお本発明は、各注入管５、排水管６及ホース８等は、常時安全板１１に覆われて確実に安全に保護されてあって、例えば水槽３に悪戯をしようとして安全板１１を外そうとしても、両水槽体７の各支持片１２によって支持されてあるのでこの水槽体７を大きく移動しなければ外すことが出来ないので、一連の水槽体７の両端水槽体７を基礎に固着して各水槽体７を定位置に設置してある限り全く安全である。従って悪戯があれば水槽体７に異常があるので容易にこれを見抜き発見することが出来る。【００１５】  更に本発明は、上部の角枠状の支持枠２ａ内に、例えば箱１４を載置して草花などの植物を置いておけば美観的に環境的にも有益なことである。
【発明の効果】
【００１６】  以上に述べた様に本発明は、避難場所の例えば周囲や空間地を努めて大いに利用して、各避難場所、その場所に収容出来得る住民の人数に見合う数量に相当する水槽体７を設置しておけば、どの様な災害の事態に遭おうとも、又水槽体７は倒れても水は漏れることなく満水が保たれるので、災害時には即時に充分に新鮮な飲用水を供給し得る事が出来る特徴を有するものである。
【図面の簡単な説明】
【図１】本発明の一実施例を示す正面図である。
【図２】本発明の要部を示す平面図である。
【図３】本発明の第２例の水槽を示す正面図である。
【符号の説明】
１・・・枠柱体  ２、２・・・支持枠  ３・・・水槽  ４・４・・・逆止弁  ５・・・注入管  ６・・・排水管  ７・・・水槽体  ８・・・ホース  １１・・安全板  １２・・支持片  １３・・覆板
【図１】
2008002253.tif 000003
【図２】
2008002253.tif 000004
【図３】
2008002253.tif 000005